(57)【要約】【課題】近年の普及に伴い利用範囲が拡大した二次元コードの１種であるＱＲコードを、使用目的に応じて任意画像と合成することにより、利用者は目的のＱＲコードを目視で選択でき、提供者は他のＱＲコードとの差別化が可能となるＱＲコードの提供。【解決手段】ＱＲコードの使用形態により、過剰となるＱＲコード本来が持つ規格化されている誤り補正機能を、制限された範囲で有効利用し、ＱＲコードと任意画像とを合成したＱＲコード読み取り装置で読み取り可能なＱＲコードを生成する。【選択図】図２
2008262521.tif 000002
【特許請求の範囲】
【請求項１】
任意の情報Ａが符号化されたＱＲコードＢのコード内に、ＱＲコードの規格で定められているデータ復元機能の範囲を超えない範囲で画像、記号、文字等の任意の画像情報Ｃ２を配置し、配置した画像情報Ｃ２がＱＲコードの読み取り装置に誤りと認識され、ＱＲコードのデータ復元機能を利用して符号化する前の情報Ａが、ＱＲコード読み取り装置を介して読み取ることが可能な、ＱＲコードＢ３を生成する手段。
【発明の詳細な説明】
【技術分野】
【０００１】本発明はＱＲコードと任意の情報を合成するための手段に関する。
【背景技術】
【０００２】現在、一般的に普及している日本電装株式会社が開発した図１に示す二次元コード、ＱＲコードは、バーコードよりも多くの情報を符号化することが可能となり、様々な業界で普及している。【０００３】二次元コードは、二進コードデータを二次元のマトリックス上に高密度に配置することにより、従来のバーコードよりも多くの情報が記録できる反面、従来のバーコードより汚れ欠損に弱くなる。二次元コードの一種であるＱＲコードでは汚れ欠損に対する情報保護対策が規格化されており、元の情報が保護されているため、取り扱いが用意でＱＲコードが信頼され一般的に普及できた要因の一つである。
【発明の開示】
【発明が解決しようとする課題】
【０００４】二次元コードは情報を符号化して記録することを目的としているため、人間の視覚では内容を把握することが不可能となっている。したがって、近年、一般的に普及し氾濫する多数のＱＲコードは、利用しようとするものにとって読み取り装置を用いない限り、直感的に内容を把握することができず、ＱＲコードのみで多数の人間にその内容を主張することが不可能になる。ＱＲコードに任意の画像を配置する従来の技術は詳細なＱＲコードの専門知識を必要とし、専用の装置、プログラムを使用するなど一般的に困難な合成技術を必要としているため利用の普及に制限があった。ＱＲコードと任意画像の合成が簡易に可能になれば利用者にとって視覚的にも内容を想像できるＱＲコードが一層普及するものと思われる。【０００５】本発明はＱＲコードに任意の画像を合成する方法について、困難とされてきたＱＲコードと任意画像の合成を制限された利用法の目的範囲に応じて簡易に行うことを課題とする。
【課題を解決するための手段】
【０００６】現在一般的に普及しているＱＲコードシンボルモデル２には符号化する情報量に併せて１から４０までの型番が規定されている。ＱＲコードを構成する最小の単位（１ビット）に対して１モジュール使用しており、型番１では２１×２１モジュールを使用する。また誤り訂正能力としてレベルＬ、レベルＭ、レベルＱ、レベルＨが規定されておりそれぞれのレベルの誤り補正可能割合はレベルＬ「７％」、レベルＭ「１５％」、レベルＱ「２５％」、レベルＨ「３０％」の能力を有している。【０００７】図２に示す、誤り補正機能をレベルＨと設定し生成したＱＲコードＢの符号化する前の情報Ａはレベル補正機能の能力範囲内で汚れ欠落が存在する場合においても保護されている。
ＱＲコードＢが保有するモジュールの２３％が欠落している場合、このレベルＨで生成したＱＲコードＢはレベルＬで生成した情報Ａを符号化したＱＲコードと同等の誤り補正機能を残存することになり、誤り補正能力は同等となる。他の補正機能レベルを使用する場合においてもＱＲコードＢ３を生成後に必要とする誤り補正機能能力を加工する前のＱＲコードＢに設定した誤り補正能力レベルと合成する画像情報Ｃ２が使用する割合から任意に設定することが可能である。【０００８】誤り補正機能をレベルＨと設定し生成したＱＲコードＢを画像加工装置に入力し、ＱＲコードＢ２をＱＲコードＢの１モジュールが画像加工装置の表示する１ピクセルに相当し、かつ、各モジュールの境界部分のコントラスト比が不変となるよう加工を行い制作する。
誤り補正能力が他のレベルを用いている場合においても同様に加工制作を行う。【０００９】別途に合成する画像情報Ｃ２を画像加工装置上において前述で制作したＱＲコードＢ２と等しい画像密度で、制作した画像情報Ｃの隣接する１ピクセルを全てＱＲコードＢ２の明るいモジュール部分と同等の明度を持つピクセルとし、画像情報Ｃと隣接する１ピクセルを含めて保有するピクセル数をＱＲコードＢ２の保有するピクセル数の２３％以内で制作する。このときの制作ピクセル割合は合成後のＱＲコードＢ３に必要な誤り補正能力に応じてＱＲコードＢ、画像情報Ｃ２から前述の計算方法を用いて設定することが可能である。
画像情報Ｃ２はＱＲコードＢ２で使用している配色に依存せず、ＱＲコード規格範囲内の明度を確保することで任意の色彩の使用が可能である。画像情報Ｃ２は前述の制作するピクセル数範囲内において、ＱＲコードＢ２と隣接する１ピクセルのＱＲコードＢ２の明るいモジュール部分と同等の明度を持つＱＲコードＢ２の１モジュール分を確保する場合、ＱＲコードＢ２の画像密度に依存しない解像度で画像情報Ｃ２を制作することが可能である。【００１０】画像加工装置上でＱＲコードＢ２のＱＲコード規格で定められている位置検出パターン、位置検出パターン分離パターン、タイミングパターン、形式情報、型番情報、クワイエットゾーンの情報と重ならない位置に画像情報Ｃ２を合成しＱＲコードＢ３を制作する。
【発明の効果】
【００１１】本発明はＱＲコードが保有している能力を逆の発想により利用することにより、短時間で任意の画像情報を合成したＱＲコードの制作を容易方法で可能とする。ＱＲコードの規格している補正機能の最大能力は低下するが、ＱＲコードの用途によっては本来のＱＲコードの補正機能が過剰となる場合がある。印刷物など実体のあるものにＱＲコードを使用する場合、汚れや欠落といった信号の欠落から保護する必要があるが、汚れや欠落の可能性が最小限のインターネットやテレビ等のモニターの画面上において誤り補正機能は最低限の能力だけで実用できる。
これまでのＱＲコードのみでは人間にその情報がどのような情報であるかわからない、多数の氾濫しているＱＲコードと目的のＱＲコードが区別できない状況から、人間の目で目的としているＱＲコードを区別できるようになり、ＱＲコードの利用者、提供者ともに現状よりも有効にＱＲコードを使用することが可能となる。
【発明を実施するための最良の形態】
【００１２】図２及び図３を参照して、本発明に関する実施の形態について説明する。【００１３】「構成」
画像加工装置２は装置に入力される情報を画像として加工処理できる装置であり、かつ、ＱＲコード生成装置１からＱＲコードを入力する能力を持ち、入力装置４から合成する情報Ｃを入力する能力を持ち、入力装置３から本発明の処理に必要な情報を操作する者から入力する能力を持ち、記録装置８により必要な情報を記録保存する能力を持ち、出力装置５によりモニターなどの画面にデータを表示する能力を持ち、出力装置６により各種実体のある媒体にデータを印刷、カッティングもしくはさまざまな素材に転載する能力を持つ装置である。また、インターネットなどの通信網７に接続し、インターネットなどの通信網７にデータを転送する能力を有していることが望ましい。画像加工装置２はＱＲコード生成する能力がある場合はＱＲコード生成装置１を含む装置としてもよい。画像加工装置２は専用の装置である必要はなく、既存装置が既存装置の機能として必要な能力を備える場合、画像加工装置２及びＱＲコード生成装置１としてもよい。【００１４】画像表示装置９は合成されたＱＲコードＢ３を記録装置１０に記録し、表示することが可能なＱＲコードを利用者に提供する提供者が使用する装置である。画像表示装置９はインターネットなどの通信網７に接続し、インターネットなどの通信網７にデータを転送する能力を有していることが望ましい。画像表示装置９は、画像加工装置２と同等の機能、ＱＲコード生成装置１と同等の機能を有する場合、それらの装置と同一の装置を用いてもよい。【００１５】＜実施の形態＞
ＱＲコード生成装置１は符号化する情報ＡをＱＲコードＢに符号化する装置であり、元となる情報ＡをＱＲコードＢに符号化処理を行う。画像加工装置２が同様の機能を有する場合、画像加工装置２を用いて情報ＡのＱＲコードＢ変換処理を行うことが可能である。【００１６】ＱＲコードＢは画像加工装置２を用い、入力装置３より入力された情報によりＱＲコードＢ２へと加工を行う。【００１７】入力装置４により取り込まれた、又は、入力装置３により入力された、又は、記録装置８により記録されている画像情報Ｃから画像加工装置２を用いて、画像情報Ｃ２へと加工を行う。【００１８】画像加工装置２を用い、ＱＲコードＢ２と画像情報Ｃ２を合成し、ＱＲコードＢ３を作成する。【００１９】画像加工装置２を用い、ＱＲコードＢ３を利用目的に応じて最適な画像密度、画像サイズへと加工処理を行う。利用目的に応じて加工されたＱＲコードＢ３は出力装置５又は、出力装置６又は、記録装置１０と画像表示装置９の組み合わせを用いてＱＲコードＢ３を利用する者へ提供する。
【産業上の利用可能性】
【００２０】本発明は既に普及しているＱＲコード作成装置と画像加工装置などを用いて、合成されたＱＲコードを生成する方法であるため、方法の公開、作成作業、作成されたＱＲコードの提供等による産業上の利用可能性を有している。【００２１】ＱＲコードはその目的から内容を人間の目で識別することは不可能であるが、近年の普及による利用範囲の拡大に伴い、人間の目で目的以外のＱＲコードと識別することが可能となれば、提供する側も他のＱＲコードと差別化が図れ、利用する側も目的に応じたＱＲコードを短時間で判断することが可能となる。ＱＲコードの差別化により、他社との差別化が図れ、その効果により発展が望める産業に貢献することが可能である。
【図面の簡単な説明】
【００２２】
【図１】ＱＲコード。
【図２】本発明の実施形態を示す略図。
【図３】本発明を実施するシステムの略図。
【符号の説明】
【００２３】１  ＱＲコード生成装置
２  画像加工装置
３  スキャナー等の入力装置
４  キーボード、マウス、タブレット等の入力装置
５  モニターなどの出力装置
６  プリンター、カッティングマシン等の出力装置
７  インターネット等を含む通信網
８  記録装置
９  画像表示装置
１０  記録装置
【図１】
2008262521.tif 000003
【図２】
2008262521.tif 000004
【図３】
2008262521.tif 000005